(57)【要約】本発明は、ハッカーウィルスセキュリティー統合管理機器において、これを具現するための本発明は、ウィルスと悪性スパイウェア及びクラッカーの侵入に対する従来のセキュリティープログラムを、一つの統合されたハードウェアのエンベデッド装置に作製して別途に運営することで、従来のウィルスや悪性スパイウェア、そしてハッキングプログラムの侵入に対する防御とセキュリティー治療を行うだけでなく、新しく生成されるウィルスなどに対しても能動的に対応し、クラッカーの悪意的な接近に対して防御し、さらにこれらの悪性ハッカーに警告できるように様々なウィルス予防及び修復プログラム、スパイウェア予防及び修復プログラム、ハッカー侵入防御プログラム及び新たなウィルスなどに対して能動的に対処することのできるプログラムなどを、一つの統合ハードウェアに作製してインターネットから伝送されるデータと、コンピュータ同士に伝送されるデータ、及び外部保存装置内のデータに存在し得る悪性プログラムから、コンピュータ及び外部保存装置を保護するハッカーウィルスセキュリティー統合管理機器である。
2013532866.tif 000002
【特許請求の範囲】
【請求項１】
ハッカーウィルスセキュリティー統合管理機器であって、
インターネットやコンピュータ外部保存装置とデータを送受信する統合伝送装置と、
前記統合伝送装置から伝送を受けたデータを臨時で保存し、統合処理装置からセキュリティー治療されたデータを保存する統合保存装置と、
前記統合保存装置からデータをロードしてセキュリティープログラムを利用してセキュリティー治療する統合処理装置と、及び
前記統合処理装置で要求するセキュリティープログラムを提供するセキュリティープログラム保存装置と、からなることを特徴とするハッカーウィルスセキュリティー統合管理機器。
【請求項２】
前記統合処理装置で処理できなかった新たな悪性プログラムを保存する悪性プログラム統合保存装置と、及び
前記悪性プログラム統合保存装置から伝送された悪性プログラムを分析して新たな解決プログラムを作成したり専門家に提供したりする新規統合分析装置と、からなることを特徴とする請求項１に記載のハッカーウィルスセキュリティー統合管理機器。
【請求項３】
回路内に発生する回路の不具合に対して速やかにハードウェア的に処理し、回路に対する電源を別途に管理することのできる回路リセットボタンと、からなることを特徴とする請求項１または２に記載のハッカーウィルスセキュリティー統合管理機器。
【請求項４】
前記回路の状態を点検する回路点検部と、からなることを特徴とする請求項１または２に記載のハッカーウィルスセキュリティー統合管理機器。
【請求項５】
前記回路の状態を点検する回路点検部と、からなることを特徴とする請求項３に記載のハッカーウィルスセキュリティー統合管理機器。
【請求項６】
前記統合伝送装置は、インターネットで伝送されたセキュリティーパッチプログラムを受信して前記統合処理装置でセキュリティー治療を行った後、セキュリティー統合管理機器に連結された種々のコンピュータへ伝送し、前記統合保存装置は、前記統合伝送装置から伝送されたセキュリティーパッチプログラムを保存して前記統合処理装置を通じてセキュリティーパッチプログラムに対するセキュリティー治療を行った後、保存し、前記統合処理装置は、前記統合保存装置から伝送されたセキュリティーパッチプログラムに対してセキュリティーパッチプログラムが該当するか否かを判断して、セキュリティーパッチプログラムの場合、セキュリティーパッチプログラムに対するセキュリティー治療を行うことを特徴とする請求項１または２に記載のハッカーウィルスセキュリティー統合管理機器。
【請求項７】
前記統合伝送装置は、インターネットで伝送されたセキュリティーパッチプログラムを受信して前記統合処理装置でセキュリティー治療を行った後、セキュリティー統合管理機器に連結された種々のコンピュータへ伝送し、前記統合保存装置は、前記統合伝送装置から伝送されたセキュリティーパッチプログラムを保存して前記統合処理装置を通じてセキュリティーパッチプログラムに対するセキュリティー治療を行った後、保存し、前記統合処理装置は、前記統合保存装置から伝送されたセキュリティーパッチプログラムに対してセキュリティーパッチプログラムが該当するか否かを判断して、セキュリティーパッチプログラムの場合、セキュリティーパッチプログラムに対するセキュリティー治療を行うことを特徴とする請求項３または４に記載のハッカーウィルスセキュリティー統合管理機器。
【請求項８】
前記統合伝送装置は、インターネットで伝送されたセキュリティーパッチプログラムを受信して前記統合処理装置でセキュリティー治療を行った後、セキュリティー統合管理機器に連結された種々のコンピュータへ伝送し、前記統合保存装置は、前記統合伝送装置から伝送されたセキュリティーパッチプログラムを保存して前記統合処理装置を通じてセキュリティーパッチプログラムに対するセキュリティー治療を行った後、保存し、前記統合処理装置は、前記統合保存装置から伝送されたセキュリティーパッチプログラムに対してセキュリティーパッチプログラムが該当するか否かを判断して、セキュリティーパッチプログラムの場合、セキュリティーパッチプログラムに対するセキュリティー治療を行うことを特徴とする請求項５に記載のハッカーウィルスセキュリティー統合管理機器。
【請求項９】
前記統合伝送装置は、悪性プログラムを利用して前記セキュリティー統合管理機器に接近するコンピュータに対して１次的に警告メッセージを発信し、２次的にセキュリティープログラム保存装置から伝送されたセキュリティープログラムを接近するコンピュータへ伝送し、前記統合処理装置は、悪性プログラムを利用して前記セキュリティー統合管理機器に接近するコンピュータに対して１次的に警告するメッセージを生成し、２次的に前記セキュリティープログラム保存装置からセキュリティープログラムをロードして前記統合伝送装置へ伝送することを特徴とする請求項１または２に記載のハッカーウィルスセキュリティー統合管理機器。
【請求項１０】
前記統合伝送装置は、悪性プログラムを利用して前記セキュリティー統合管理機器に接近するコンピュータに対して１次的に警告メッセージを発信し、２次的にセキュリティープログラム保存装置から伝送されたセキュリティープログラムを接近するコンピュータへ伝送し、前記統合処理装置は、悪性プログラムを利用して前記セキュリティー統合管理機器に接近するコンピュータに対して１次的に警告するメッセージを生成し、２次的に前記セキュリティープログラム保存装置からセキュリティープログラムをロードして前記統合伝送装置へ伝送することを特徴とする請求項３または４に記載のハッカーウィルスセキュリティー統合管理機器。
【請求項１１】
前記統合伝送装置は、悪性プログラムを利用して前記セキュリティー統合管理機器に接近するコンピュータに対して１次的に警告メッセージを発信し、２次的にセキュリティープログラム保存装置から伝送されたセキュリティープログラムを接近するコンピュータへ伝送し、前記統合処理装置は、悪性プログラムを利用して前記セキュリティー統合管理機器に接近するコンピュータに対して１次的に警告するメッセージを生成し、２次的に前記セキュリティープログラム保存装置からセキュリティープログラムをロードして前記統合伝送装置へ伝送することを特徴とする請求項５または６に記載のハッカーウィルスセキュリティー統合管理機器。
【請求項１２】
前記統合伝送装置は、悪性プログラムを利用して前記セキュリティー統合管理機器に接近するコンピュータに対して１次的に警告メッセージを発信し、２次的にセキュリティープログラム保存装置から伝送されたセキュリティープログラムを接近するコンピュータへ伝送し、前記統合処理装置は、悪性プログラムを利用して前記セキュリティー統合管理機器に接近するコンピュータに対して１次的に警告するメッセージを生成し、２次的に前記セキュリティープログラム保存装置からセキュリティープログラムをロードして前記統合伝送装置へ伝送することを特徴とする請求項７または８に記載のハッカーウィルスセキュリティー統合管理機器。
【請求項１３】
セキュリティー統合管理機器は、
使用者にシステム機器の進行現状を簡単に説明するための表示機と、
前記セキュリティー統合管理機器をインターネットにつなぐインターネットケーブルコネクタと、
前記セキュリティー統合管理機器が管理するパーソナルコンピュータやサーバーを連結するコンピュータケーブルコネクターと、
セキュリティー統合管理機器に電源を供給する電源ボタンと、
前記セキュリティー統合管理機器に連結されたコンピュータと外部保存装置からデータを受信してセキュリティー治療を行う回路連結部と、及び
基準セキュリティープログラムを構成した既存セキュリティー回路と、からなることを特徴とするハッカーウィルスセキュリティー統合管理機器。
【請求項１４】
外部保存装置に対するデータをセキュリティー治療するための外部保存装置ドライバーと、及び
外部保存装置に内容を前記既存セキュリティー回路と新規セキュリティー回路へ伝送して修復した後外部保存装置へ伝送する外部保存装置管理回路と、を含むことを特徴とする請求項１３に記載のハッカーウィルスセキュリティー統合管理機器。
【請求項１５】
セキュリティー統合管理機器内に運営システム及びセキュリティー統合機器に連結されたコンピュータのセキュリティーをパッチするセキュリティーパッチ回路と、を含むことを特徴とする請求項１３または１４に記載のハッカーウィルスセキュリティー統合管理機器。
【請求項１６】
新たな悪性プログラムを保存し分析して修復する新規セキュリティー回路と、を含むことを特徴とする請求項１３または１４に記載のハッカーウィルスセキュリティー統合管理機器。
【請求項１７】
新たな悪性プログラムを保存し分析して修復する新規セキュリティー回路と、を含むことを特徴とする請求項１５に記載のハッカーウィルスセキュリティー統合管理機器。
【請求項１８】
外部の侵入者に対して侵入を抑制するための攻撃遮断セキュリティー回路と、を含むことを特徴とする請求項１３または１４に記載のハッカーウィルスセキュリティー統合管理機器。
【請求項１９】
外部の侵入者に対して侵入を抑制するための攻撃遮断セキュリティー回路と、を含むことを特徴とする請求項１５または１６に記載のハッカーウィルスセキュリティー統合管理機器。
【請求項２０】
外部の侵入者に対して侵入を抑制するための攻撃遮断セキュリティー回路と、を含むことを特徴とする請求項１７に記載のハッカーウィルスセキュリティー統合管理機器。
【請求項２１】
プログラマーが作成した応用プログラムに対する分析を通じて前記悪性プログラムが含まれたか否かを分析及び警告する応用プログラム分析回路と、を含むことを特徴とする請求項１３または１４に記載のハッカーウィルスセキュリティー統合管理機器。
【請求項２２】
プログラマーが作成した応用プログラムに対する分析を通じて前記悪性プログラムが含まれたか否かを分析及び警告する応用プログラム分析回路と、を含むことを特徴とする請求項１５または１６に記載のハッカーウィルスセキュリティー統合管理機器。
【請求項２３】
プログラマーが作成した応用プログラムに対する分析を通じて前記悪性プログラムが含まれたか否かを分析及び警告する応用プログラム分析回路と、を含むことを特徴とする請求項１７または１８に記載のハッカーウィルスセキュリティー統合管理機器。
【請求項２４】
プログラマーが作成した応用プログラムに対する分析を通じて前記悪性プログラムが含まれたか否かを分析及び警告する応用プログラム分析回路と、を含むことを特徴とする請求項１９または２０に記載のハッカーウィルスセキュリティー統合管理機器。
【発明の詳細な説明】
【技術分野】
【０００１】
本発明は、コンピュータ及び各種機器のセキュリティー関連統合管理システムにおいて、別途の補助機器を利用して、ウィルス及び悪性プログラムなどによって発生し得る問題を処理するウィルスセキュリティー統合管理機器に関するものであって、さらに詳しくは、外部から侵入するウィルスと悪性プログラム及びハッキング行為に対してコンピュータ内、あるいは外部に設けられた別途のセキュリティー管理システム機器を利用して、コンピュータへのウィルスの侵入を予防したり、侵入したウィルスを除去したり、さらに従来ウィルスの形態を把握して保存した後、新たな新種ウィルスの発生に対しても能動的に防御したりすることができ、このような新種ウィルスを発生させるコンピュータのアドレスを把握して警告するようにした、ハッカーウィルスセキュリティー統合管理機器に関する。
【背景技術】
【０００２】
ウィルスプログラムと悪性のスパイウェア及びクラッカープログラムなど（以下'悪性プログラム'と総称する）に対するセキュリティープログラムは、ソフトウェアで具現されて上記悪性プログラムの侵入を遮断し、感染した場合には、これを削除するか、修復することを目的とする。
【０００３】
悪性プログラムに感染すると、コンピュータの速度が遅くなり、コンピュータの使用に不便を感じ、深刻な場合には、コンピュータが作動しない場合が発生し得るため、このようなセキュリティープログラムは、どのコンピュータプログラムよりも優先してリアルタイムで作動して、悪性プログラムなどを監視し、もし侵入した場合、これに対する修復及び削除作業がなされ、コンピュータシステムの速度が遅くなる。
【０００４】
また、悪意的なハッカー（以下'クラッカー'と称する）の侵入があった場合、これを常に監視する監視者がいる場合は、速やかに処理することができるが、監視者がいないか、一般のパーソナルコンピュータの場合には、その防御に非常に劣っている。このようなクラッカーの侵入による深刻な情報の流出とコンピュータの破損及び情報歪曲現象などが発生することがある。
【０００５】
このように、様々な悪性プログラムの侵入からコンピュータを保護するために、それに適した種々のセキュリティープログラムを一つのコンピュータで駆動するための適切な管理が無く、このようにリアルタイムで運営されるセキュリティープログラムを設置し、これに関するアップデートするには多くの時間と費用がかかる。
【０００６】
さらに、このような種々のセキュリティープログラムは、コンピュータ駆動の際に作動するようになっており、このようなセキュリティープログラムは、コンピュータハードウェア、例えば、ハードディスクやメモリの占有による運営システムプログラム同士の衝突及びセキュリティープログラム同士の衝突によって、運営システムプログラム上のエラーが生じてコンピュータ応用プログラムの使用が不可能となったり、運営システムが作動せずコンピュータが作動しなくなったり、コンピュータに不具合が発生したりするという問題がある。
【０００７】
また、コンピュータが不具合になった場合、コンピュータに保存されていた重要データが取り消されたり、復元が可能な場合であってもデータを復旧するのにかかる時間と費用上の問題だけでなく、再びプログラムをコンピュータに設置し直さなければならないため、これに対する損害も考慮しなければならない。
【０００８】
そしてサイバー戦争という言葉ができる程、新たな悪性プログラムが生じ続けており、情報通信の発達に伴い有無線でコンピュータに接近が容易であるため、ハッキングに対する技術も進み、より容易に他人のコンピュータに接近できるという問題に対して、予め措置をとるよりは、既に発生した問題に対して、それに相応する悪性プログラムに対し処置するしかないという現状では、上記の問題は潜在しており、これに対してより能動的に解決できないという問題がある。
【０００９】
また、このような悪性プログラムに対してソフトウェア的に接近することは、コンピュータが駆動して運営システムが作動し、それからセキュリティープログラムが作動するため、コンピュータ駆動の後、運営システムが駆動する前に書き込み機能が可能なロムバイオス上の悪性プログラム問題や、プログラム自体の問題が発生した場合に、コンピュータが無防備状態で悪性プログラムが作動するようになるという問題がある。
【発明の概要】
【発明が解決しようとする課題】
【００１０】
本発明は、前述した問題点を解決するために案出されたもので、従来の悪性プログラムの侵入に対する防御及び修復だけでなく、新しく生成される悪性プログラムなどに対しても能動的に対応し、クラッカーの悪意的な接近に対して防御し、さらにこれらのクラッカーに警告できるように様々な悪性プログラムに対する予防及び修復プログラム、スパイウェア予防及び修復プログラム、クラッカー侵入防御プログラム、及び新たな悪性プログラムなどに対して能動的に対処することのできるプログラムなどを、一つの統合ハードウェアに作製して、コンピュータ内装置として、外部データとの連結後端部に位置したり、別途のサーバーシステムを構築する形でコンピュータを保護することのできるハッカーウィルスセキュリティー統合管理機器を提供することに目的がある。
【課題を解決するための手段】
【００１１】
上記の技術的課題を達成するための本発明は、
インターネットやコンピュータ外部保存装置とデータを送受信する統合伝送装置と、
上記統合伝送装置から伝送を受けたデータを臨時で保存し、統合処理装置からセキュリティー治療されたデータを保存する統合保存装置と、
上記統合保存装置からデータをロードしてセキュリティープログラムを利用してセキュリティー治療する統合処理装置と、及び
上記統合処理装置で要求するセキュリティープログラムを提供するセキュリティープログラム保存装置と、を含む。
【００１２】
一実施例において、
使用者にシステム機器の進行現状を簡単に説明するための表示機と、
上記セキュリティー統合管理機器をインターネットにつなぐインターネットケーブルコネクターと、
上記セキュリティー統合管理機器が管理するパーソナルコンピュータやサーバーを連結するコンピュータケーブルコネクターと、
セキュリティー統合管理機器に電源を供給する電源ボタンと、
上記セキュリティー統合管理機器に連結されたコンピュータと外部保存装置からデータを受信してセキュリティー治療を行う回路連結部と、及び
基準セキュリティープログラムを構成した既存セキュリティー回路と、からなることを特徴とするハッカーウィルスセキュリティー統合管理機器。
【発明の効果】
【００１３】
本発明によると、悪性プログラムに対する従来セキュリティープログラムを一つの統合されたハードウェアに作製して、別途に運営することで、セキュリティープログラムの設置、アップデート、各ファイルに対する検査による時間及び費用の低減とコンピュータ運営システムやコンピュータプログラムの使用において、より安定、かつ向上した速度を支援することができ、新たな悪性プログラムに対しても能動的に速やかに防御及び修復することができ、更に費用上の問題を解決することができる。
【図面の簡単な説明】
【００１４】
【図１】本発明の実施例によるハッカーウィルスセキュリティー統合管理機器の正面図である。
【図２】本発明の実施例によるハッカーウィルスセキュリティー統合管理機器の背面図である。
【図３】本発明の実施例による運営システムセキュリティーパッチ回路のブロック図である。
【図４】本発明の実施例による既存の悪性プログラムに対するセキュリティー回路のブロック図である。
【図５】本発明の実施例による新たな悪性プログラムに対する新規セキュリティー回路のブロック図である。
【図６】本発明の実施例による外部データ管理回路のブロック図である。
【図７】本発明の実施例による攻撃遮断セキュリティー回路に対するブロック図である。
【図８】本発明の実施例による応用プログラム分析回路である。
【図９】本発明の実施例によるセキュリティー統合管理回路のブロック図である。
【発明を実施するための形態】
【００１５】
以下、例示図面を参照して本発明によるハッカーウィルスセキュリティー統合管理機器の一実施例に係わる構成及び作用を詳しく説明する。
【００１６】
図１は、本発明のハッカーウィルスセキュリティー統合管理機器の正面図である。
【００１７】
図２は、本発明のハッカーウィルスセキュリティー統合管理機器の背面図である。
【００１８】
図１と図２に図示された通り、本発明のハッカーウィルスセキュリティー統合管理機器は、正面に、使用者にシステム機器の進行現状を簡単に説明するための表示機１１と、外部ＣＤロムを検査するための複数のＣＤロムドライバー１２と、外部フロッピー(登録商標)ディスクを検査するための複数のフロッピー(登録商標)ディスクドライバー１３と、外部装置の進行状況を順次表示するための進行表示手段１４と、現在進行中の状況を色別に区分できるようにした表示灯１５と、外部前面ＵＳＢを検査するための複数のＵＳＢドライバー１６と、セキュリティー統合管理機器の電源ボタン１７と、上記セキュリティー統合管理機器の電源をリセットする電源リセット１８と、全体セキュリティー機器の冷却のための冷却ファン２４と、空気を供給する給気ファン２５と、空気を排出する排気ファン２６と、外部コンピュータと連結するコンピュータケーブルコネクター２７と、インターネットと連結するインターネットケーブル２８と、別途の出力のためのモニターケーブル２９と、上記セキュリティー統合管理機器に連結されたコンピュータと外部保存装置からデータをセキュリティー治療する回路が連結される回路連結部３０と、からなる。
【００１９】
上記表示機１１は、管理者に現在セキュリティー統合管理機器で行っているデータに対する検索と、検査と修復、及び削除（以下'セキュリティー治療'と称する）に関する進行経過時間の知らせと、残っている保存空間の知らせと、修復のために内部に保存しなければならない悪性プログラムが存在しないことを知らせる悪性プログラム存否の知らせと、内部で現在進行されているセキュリティー統合管理機器に連結されたコンピュータ内の保存装置と、セキュリティー統合管理機器が進行している外部保存装置、例えば、ＣＤロム、フロッピー(登録商標)ディスク、またはＵＳＢメモリに対する削除、修復、防御、遮断または攻撃の進行の知らせ、及び外部から入ってきた悪性プログラムに対する警告をリアルタイムで進行表示する。
【００２０】
また、セキュリティー統合管理機器に含まれた装置に対する制御を表示して、管理者がセキュリティー統合管理機器を任意で管理する。
【００２１】
上記小型ＣＤロムと大型ＣＤロムドライバー１２は、ＣＤロムに存在する悪性プログラムの感染に対して、上記セキュリティー統合管理機器内に組み込まれたセキュリティープログラムを利用してセキュリティー治療を行うようにＣＤロムを組み込む。
【００２２】
そして修復と削除が不可能な場合は、感染したＣＤロムを廃棄するように上記パネル窓表示機１１に表示し、感染した悪性プログラムが必要な場合、悪性プログラム保存空間に保存して活用する。
【００２３】
上記小型フロッピー(登録商標)ディスクと大型フロッピー(登録商標)ディスクドライバー１３は、フロッピー(登録商標)ディスクに存在する悪性プログラムの感染に対して、上記セキュリティー統合管理機器内に組み込まれたセキュリティープログラムを利用してセキュリティー治療を行うようにフロッピー(登録商標)ディスクを組み込む。
【００２４】
そして、修復と削除が不可能な場合には、感染したフロッピー(登録商標)ディスクを廃棄するように上記パネル窓表示機１１に表示し、感染した悪性プログラムが必要な場合、悪性プログラム保存空間に保存して活用する。
【００２５】
上記進行表示手段１４は、ＣＤロムドライバーとフロッピー(登録商標)ディスクドライバー及びＵＳＢに連結した、ＣＤロムとフロッピー(登録商標)ディスク及びＵＳＢメモリに対して各装置ごとに区分して現在進行しているセキュリティー治療に対する状況を知らせ、修復及び削除が不可能な場合には、廃棄を勧める警告を表示し、感染した悪性プログラムが必要な場合、悪性プログラム保存空間に保存して活用する。
【００２６】
上記表示灯１５は、管理者に現在進行している運営システムパッチセキュリティープログラム、セキュリティープログラム、暗証番号プログラム、システム機器セキュリティー構成、悪性プログラム、運営プログラムを、分析の修復機能、削除機能、防御機能、攻撃機能をリアルタイムで進行状況を簡単に表示するために、各状況に応じて色を分けて区分できるようにし、検査及び検索段階では緑色の表示機を駆動し、悪性プログラムを発見したときは赤色の表示機を駆動し、発見した悪性プログラムに対して修復の際には青色の表示機を駆動し、感染した悪性プログラムを削除するときは黄色の表示機を駆動し、感染した悪性プログラムが必要で保存する場合には白色の表示機を駆動し、管理者にとって現在進行されている各装置に対する状況が分かるようにする。
【００２７】
好ましくは、上記表示機の色は必要によって変えることができる。
【００２８】
上記ＵＳＢドライバー１６は、一般使用者の立場で使用するＵＳＢを利用した外部保存装置、例えば、ＵＳＢメモリ、ＭＰ３メモリ、または携帯電話メモリなどに存在する悪性プログラムの感染に対して、上記セキュリティー統合管理機器内に組み込まれたセキュリティープログラムを利用してセキュリティー治療を行うようにＵＳＢメモリを装着する。
【００２９】
そして修復と削除が不可能な場合は、感染したＵＳＢメモリを廃棄するように上記表示機１１に表示し、感染した悪性プログラムが必要な場合、悪性プログラム保存空間に保存して活用する。
【００３０】
上記電源１７は、セキュリティー統合管理機器を動作させるために、セキュリティー統合管理機器の全体に対して電源を供給するもので、１１０Ｖ〜２２０Ｖの安定した電気を供給する。これは基本的な状況であり、場所、地域によって変わることができる。電圧と電流を一定に保持し電源を制御する装置が必要である。
【００３１】
上記電源リセット１８は、セキュリティー統合管理機器から発生し得る電気的なエラー、機器の誤動作などに対して、速やかに対処できるようにセキュリティー統合管理機器をリセットする。
【００３２】
好ましくは、セキュリティー統合管理システム機器の内部に存在する、多数の悪性プログラムセキュリティー回路の電気的なエラー及びセキュリティー回路同士の衝突などに対して対処する内部パワーリセット１９と、ＣＤロムなどの外部保存装置に対するドライバーのエラーが発生した場合、これに対して速やかに対処する外部保存装置パワーリセット２０と、セキュリティー統合管理機器の外部装置である表示機や進行表示機などの誤作動に対処するための外部装置パワーリセット２１と、コンピュータ同士のデータを送受信する回路をリセットする外部装置連結パワーリセット２２と、インターネット同士のデータを送受信する回路をリセットするインターネット連結パワーリセット２３と、で構成されて誤作動が発生した領域ごとに速やかに対処する。
【００３３】
上記冷却ファン２４は、リアルタイムで動作するセキュリティー統合管理機器で発生する高熱によるセキュリティー回路及び電気装置の誤作動を防ぐために、内部の熱を冷却させる役割を果たしてセキュリティー管理システム機器を一定の温度に保つ。
【００３４】
セキュリティー管理システム機器の容量によって上記冷却ファンの数と位置を決定することが好ましい。
【００３５】
上記給気ファン２５と排気ファン２６は、上記冷却ファン２４が未駆動の際に外部の空気を内部に供給し、セキュリティー統合管理機器内で発生する高熱によって発生した熱い空気を、強制に放出させ、内部の温度を低くし、セキュリティー統合管理機器内で発生する種々の微細ごみによる様々な回路の不具合を防ぐために、空気を循環して浄化させる。
【００３６】
好ましくは、上記給気ファン２５と排気ファン２６は必要に応じてその数と位置を決める。
【００３７】
上記コンピュータケーブルコネクター２７は、上記セキュリティー統合管理機器が管理するパーソナルコンピュータやサーバー（以下'コンピュータ'と総称する）と連結して、コンピュータに保存されたデータ及びコンピュータが接続しようとする外部インターネットと連結して侵入する悪性プログラムから保護するためにセキュリティー統合管理機器と相互連結してリアルタイムで動作してセキュリティー治療を行う。
【００３８】
上記インターネットケーブルコネクター２８は、セキュリティー統合管理機器が管理するネットワーク内の全てのコンピュータ及びサーバーに対して、セキュリティー統合管理機器を通じて外部へ連結できるようにし、連結されたインターネットネットワークを通じて伝送されるデータに対してセキュリティー治療を行い、悪性プログラムが必要な場合、保存して悪性プログラムの防御に活用できるようにする。
【００３９】
上記モニターケーブル２９は、セキュリティー統合管理機器の運営性能と駆動するプロセスと機器の残りの保存空間と現在設置されて作動しているセキュリティー回路などの状態を、モニターを通じて管理者が視覚的に確認できるように、モニターのような出力装置との連結を行う。このように、上記モニターケーブル２５に連結されたモニターの出力画面から、悪性プログラムの監視、セキュリティープログラムの監視及び内部の不具合を確認して修正する役割をする。
【００４０】
上記回路別連結部３０は、セキュリティー統合管理機器内に運営システム及びセキュリティー統合機器に連結されたコンピュータのセキュリティーをパッチするセキュリティーパッチ回路３１、基準セキュリティープログラムを構成した既存セキュリティー回路３２、新規の悪性プログラムを保存し分析して修復する新規セキュリティー回路３３、外部保存装置に内容を上記既存セキュリティー回路３２と新規セキュリティー回路３３へ伝送して修復した後、外部保存装置へ伝送する外部保存装置管理回路３４、外部の侵入者に対して侵入を抑制するための攻撃遮断セキュリティー回路３５、及びプログラマーが作成した応用プログラムに対する分析を通じて上記悪性プログラムが含まれたか否かを分析及び警告する応用プログラム分析回路３６、をそれぞれ連結する。
【００４１】
上記各回路には、各回路内に発生するエラー及びエラーなどの種々の問題に対して、速やかにハードウェア的に処理し、管理者が使用しようとしない回路に対して電源を別途に管理することのできる回路リセットボタンと、上記各回路の状態を点検する回路点検部を含む。
【００４２】
上記各回路に不具合がある場合には、容易に取り替えることのできるスロット状に結合されることが好ましい。
【００４３】
好ましくは、上記セキュリティー統合管理機器は、その使用しようとする環境によって、パーソナル、一般用、専門家用に分けられるが、インターネットに対する連結は同じであるが、上記セキュリティー統合管理機器でセキュリティー管理を行うための接続コンピュータと外部保存装置の数によって、パーソナルの場合には１から２個程度の範囲であり、一般用は各外部保存装置の数が６個くらいであり、専門家用は各外部保存装置の数が１２個程とその管理対象の差によって各セキュリティー回路の処理装置及び保存装置の容量の差が生じる。
【００４４】
図３は、運営システムのセキュリティーパッチを行うセキュリティーパッチ回路のブロック図である。
【００４５】
図３に図示された通り、上記セキュリティーパッチ回路３１は、セキュリティーパッチプログラムの内容を分析するパッチ分析装置３７と、多数のコンピュータに複数のパッチプログラムの使用のために保存するパッチ保存装置３８と、パッチプログラムの悪性プログラムに対してセキュリティー治療するように上記既存セキュリティー回路３２へ伝送するパッチ伝送装置３９と、を含む。
【００４６】
上記パッチ分析装置３７は、上記インターネットから、上記インターネットケーブルコネクター２８を通じて伝送された運営システムセキュリティーパッチプログラムを分析し、運営システムセキュリティーパッチプログラムであるか否かを判断して、セキュリティーパッチプログラムではない場合には削除し、正確なセキュリティーパッチプログラムである場合、上記パッチ保存装置３８に保存し、上記パッチプログラムに悪性プログラムの感染があると判断されると、既存セキュリティー回路３２へ伝送するパッチ伝送装置３９に伝送して修復した後、上記パッチ保存装置３８に保存し、上記コンピュータは上記パッチ保存装置３８から安全なセキュリティーパッチプログラムの伝送を受けて、運営システムのセキュリティーをパッチする。
【００４７】
好ましくは、上記インターネットに上記コンピュータが連結され、運営システムセキュリティーパッチプログラムの伝送を受けた場合にも、セキュリティーパッチプログラムを設置する前に、先ず上記パッチ分析装置３７へ伝送してセキュリティーパッチプログラムを分析させ、安全に検査されたセキュリティーパッチプログラムをパッチ保存装置３８から伝送を受けて設置する。
【００４８】
図４は、本発明による既存の悪性プログラムに対するセキュリティー回路のブロック図である。
【００４９】
上記既存セキュリティー回路３２は、既存の悪性プログラムに対する対処プログラムを、メモリに保存して悪性プログラムに対して措置をとる回路であって、上記コンピュータケーブルコネクター２７に連結されたコンピュータや上記インターネットケーブルコネクター２８から伝送されるデータ、またはセキュリティー治療を要求する外部保存装置管理回路３４から伝送されたデータを受信して既存セキュリティー保存装置４２へ伝送し、上記既存セキュリティー処理装置４３では処理できない悪性プログラムがあるデータを上記新規セキュリティー回路３３へ伝送する既存伝送装置４１と、上記既存伝送装置４１から伝送を受けたデータを臨時保存する既存セキュリティー保存装置４２と、上記既存セキュリティー保存装置４２から伝送されたデータに対してセキュリティー治療を行う既存セキュリティー処理装置４３と、上記既存セキュリティー処理装置４３にセキュリティープログラムを提供する既存セキュリティープログラム保存装置４４と、からなる。
【００５０】
上記既存伝送装置４１は、上記コンピュータケーブルコネクター２７に連結されたコンピュータや上記インターネットケーブルコネクター２８から伝送されるデータ、またはセキュリティー治療を要求する外部保存装置管理回路３４から伝送されたデータを受信して、上記既存セキュリティー保存装置４２へ伝送し、上記既存セキュリティー処理装置４３から悪性プログラムの修復が行われていないデータを、新規セキュリティー回路３３へ伝送して修復を行った後、修復されたデータの伝送を再び受けて、上記既存セキュリティー保存装置４２へ伝送して保存するか、上記セキュリティー統合管理機器に連結されたコンピュータや外部保存装置管理回路３４に上記既存セキュリティー処理装置４３の制御信号によって処理したデータを伝送する。
【００５１】
上記既存セキュリティー保存装置４２は、上記既存伝送装置４１から伝送されたデータを臨時保存し、上記既存セキュリティー処理装置４３に悪性プログラムに対してセキュリティー治療を行ったデータを保存し、上記新規セキュリティー回路３３で処理して上記既存伝送装置４１へ伝送されたデータを保存する。
【００５２】
上記既存セキュリティー処理装置４３は、現在開発された種々のウィルスワクチンやクローキング防止プログラム、またはスパイウェア除去プログラム（以下'セキュリティープログラム'と総称する）が含まれている既存セキュリティープログラム保存装置４４から悪性プログラムを検査、検索、修復するセキュリティープログラムをロードして、上記既存セキュリティー保存装置４２から伝送されたデータに対して検査及び検索し、該当悪性プログラムを発見した場合には、これに対する修復を行い、修復が不可能な場合には、新たな悪性プログラムに対する検査が必要であるため、上記新規セキュリティー回路３３へ伝送するために上記伝送装置４１へ伝送する。
【００５３】
上記既存セキュリティープログラム保存装置４４は、現在種々の会社にて開発されて、ウィルスに対してセキュリティー治療を行う様々なワクチンプログラムと種々の広告性のスパイウェア、及びスパイウェアを除去するプログラムに偽装したプログラムを検査して除去するプログラムと、クラッカー行為、特に相手のコンピュータをゾンビコンピュータとして活用するためのプログラムや、認定書やセキュリティーキー、または暗証番号を知るための種々のクラッカープログラムを感知して除去するプログラムを保存し、上記既存セキュリティー処理装置４３で必要な場合にロードして使用できるように提供する。
【００５４】
図５は、本発明による新たな悪性プログラムに対する新規セキュリティー回路のブロック図である。
【００５５】
図５に図示された通り、上記新規セキュリティー回路３２は、上記既存伝送装置４４から伝送を受けて処理した後、再び伝送する新規伝送装置５１と、上記伝送装置５１から伝送された新たな悪性プログラム中、感染が疑われるデータを保存する新規セキュリティー保存装置５２と、上記新規セキュリティー保存装置５２から伝送されたデータをセキュリティー処理する新規セキュリティー処理装置５３と、上記新規セキュリティー処理装置５３で処理できなかった新たな悪性プログラムを保存する新規悪性プログラム保存装置５４と、上記新規悪性プログラム保存装置５４に保存された新たな悪性プログラムに対して分析する新規分析装置５５と、上記新規分析装置５５から該当悪性プログラムに対する新たなセキュリティー処理プログラムを保存する新規セキュリティープログラム保存装置５６と、からなる。
【００５６】
上記新規伝送装置５１は、上記既存セキュリティー回路３１で処理できなかった悪性プログラムが感染されたデータの伝送を受けて、これを臨時保存する新規セキュリティー保存装置５２へ伝送し、上記新規セキュリティー処理装置５３によって新たな悪性プログラムに対するセキュリティー治療が完了したデータを、新規セキュリティー保存装置５２から伝送を受けて既存セキュリティー回路３１へ伝送し、上記攻撃遮断セキュリティー回路３５で要求する新たな悪性プログラムに対する要請によって上記新規セキュリティープログラム保存装置５６から伝送を受けた新規セキュリティープログラムを上記攻撃遮断セキュリティー回路３５へ伝送する。
【００５７】
上記新規セキュリティー保存装置５２は、上記新規伝送装置５１から伝送された新たな悪性プログラムの感染が疑われるデータを上記新規セキュリティー処理装置５３で処理するように伝送し、上記新規セキュリティー処理装置５３でセキュリティー治療したデータの受信を受けて上記新規伝送装置５１へ伝送し、上記攻撃遮断セキュリティー回路３５で要求する新たな悪性プログラムに対する新規セキュリティープログラムをロードして上記新規伝送装置５１へ伝送する。
【００５８】
上記新規セキュリティー処理装置５３は、上記新たな悪性プログラムに対して分析し、処理可能な新規のセキュリティープログラムが含まれた新規セキュリティープログラム保存装置５６から悪性プログラムをセキュリティー治療するセキュリティープログラムをロードして、上記新規セキュリティー保存装置５２から伝送されたデータに対して検査及び検索し、修復可能な悪性プログラムを発見した場合には、これに対する修復を行い、修復が不可能なまた他の新たな悪性プログラムがある場合には、これに対する分析のために上記新規悪性プログラム保存装置５４に保存する。
【００５９】
上記修復されていない悪性プログラムがあるデータは実行されないようにしなければならないが、実行の必要性のある場合もあり、これに対する判断は、コンピュータ使用者によって決められるため、上記表示機１１及び上記モニターケーブル２９に連結されたモニターを通じてコンピュータ使用者に通知することが好ましい。
【００６０】
上記新規悪性プログラム保存装置５４は、上記新規セキュリティー処理装置５３で処理できなかった新たな悪性プログラムに感染されたものと疑われるデータに対して、これを削除せず、今後の活用のために上記新規分析装置５５によって分析してセキュリティー治療するように、新たな悪性プログラムを保存する。
【００６１】
但し、上記新規悪性プログラム保存装置５４にあるデータは修復が不可能なため、上記データが実行されてセキュリティー統合管理機器だけでなく、これに連結された他のコンピュータ及び外部保存装置に感染しないように、実行機能を与えない。
【００６２】
上記新規分析装置５５は、上記新規悪性プログラム保存装置５４に保存された新たな悪性プログラムに対して、ウィルスプログラムであるか、スパイウェアであるか、またはクラッカープログラムであるか、及びそのプログラムの構成を分析して簡単にセキュリティー治療することのできるプログラムの作成が可能であれば、自動に作成して上記新規セキュリティープログラム保存装置５６に保存し、専門家のセキュリティー治療プログラムの開発が必要な場合には、新たな悪性プログラムに対する情報を悪性プログラムに対する専門家に提供して開発を手伝う。
【００６３】
上記新規セキュリティープログラム保存装置５６は、上記新規分析装置５５で開発した新規セキュリティープログラムと、専門家によって開発した新規セキュリティープログラムとを保存して、上記新規セキュリティー処理装置５３で新たな悪性プログラムに対するセキュリティー治療のためのプログラム要請の時、新規セキュリティープログラムを提供する。
【００６４】
また、上記攻撃遮断セキュリティー回路３５から新規セキュリティープログラムに対する要請があった場合、上記新規セキュリティー処理装置５３は、上記新規セキュリティープログラム保存装置に保存された新規セキュリティープログラムをロードして、上記新規伝送装置５１を通じて上記攻撃遮断セキュリティー回路３５へ伝送する。
【００６５】
図６は、本発明による外部データ管理回路のブロック図である。
【００６６】
図６に図示された通り、外部データ管理回路３４は、統合セキュリティー管理システム機器に取り付けた外部保存装置と、外部データ管理回路３４内の装置に対して制御を行う外部装置制御モジュール６１と、上記外部装置制御モジュール６１によって制御された外部保存装置から悪性プログラムの感染に対して検査するデータの伝送を受けて外部データ保存装置６３へ伝送し、上記外部データ保存装置６３に保存されたデータを既存セキュリティー回路３２へ伝送する外部伝送装置６２と、上記外部伝送装置６２から伝送されたデータを保存する外部データ保存装置６３と、からなる。
【００６７】
上記外部装置制御モジュール６１は、上記セキュリティー統合管理機器に連結されたＣＤロムドライバー、フロッピー(登録商標)ディスクドライバー及びＵＳＢドライバーに対して現在外部保存装置が装着されたか否かを判断して、悪性プログラムが感染されたか知りたいデータをアクセスして上記外部伝送装置６２へ伝送し、上記既存セキュリティー回路３２を通じてセキュリティー治療されたデータを各外部保存装置へ伝送する。
【００６８】
但し、上記外部装置制御モジュール６１は、読み取り専用の状態にあるデータに対しては検査及び検索のみを行い、上記データが感染されたか否かのみを検査して上記表示機１１に表示する。
【００６９】
また、上記外部装置制御モジュール６１は、各回路に存在する処理装置の代わりに、上記外部データ管理回路３４内に存在する上記外部伝送装置６２と外部データ保存装置６３に対して、制御信号を通じてデータの保存とアクセス及びデータの伝送作業を行うように制御する。
【００７０】
上記外部伝送装置６２は、上記セキュリティー統合システム機器に連結されたＣＤロムドライバー、フロッピー(登録商標)ディスクドライバー及びＵＳＢドライバーに連結された種々の外部保存装置から伝送を受けたデータを、上記外部データ保存装置６３へ伝送して保存し、上記保存されたデータのセキュリティー治療を行うために上記既存セキュリティー回路３２へ伝送し、上記既存セキュリティー回路３２でセキュリティー治療するか、既存セキュリティー回路で処理できず、上記新規セキュリティー回路３３でセキュリティー治療したデータを上記既存セキュリティー回路３２から伝送を受けて上記外部データ保存装置６３に保存するか、各外部保存装置へ直接伝送する。
【００７１】
上記外部データ保存装置６３は、上記外部装置制御モジュール６１によって各外部保存装置から、悪性プログラムをセキュリティー治療しようとするデータを上記外部伝送装置６２から伝送を受けて保存し、上記保存したデータを上記既存セキュリティー回路３２によってセキュリティー治療したデータを、上記外部伝送装置６２から伝送を受けて保存する。
【００７２】
図７は、本発明による攻撃遮断セキュリティー回路に対するブロック図である。
【００７３】
図７に図示された通り、攻撃遮断セキュリティー回路３５は、上記既存セキュリティー回路３２と上記新規セキュリティー回路３３に対する異常の際に、インターネットを遮断する遮断装置７１と、インターネットを通じて、上記セキュリティー統合システム機器に対して悪性プログラムを利用し接近を試みるコンピュータに対して警告及び攻撃を行う攻撃装置７２と、上記遮断装置７１と攻撃装置７２を制御する攻撃遮断制御モジュール７３と、からなる。
【００７４】
上記遮断装置７１は、上記既存セキュリティー回路３２と上記新規セキュリティー回路３３の電源供給の問題、または回路内の異常によって作動せず、セキュリティー治療のできない緊急状態では、上記攻撃遮断制御モジュール７３の信号に従って外部へのインターネットを遮断する。
【００７５】
もし、外部インターネットから悪性プログラムによって感染したデータが入ってきた場合、上記既存セキュリティー回路３２と上記新規セキュリティー回路３３が作動しないため、上記セキュリティー統合管理機器に連結されて、セキュリティーを上記セキュリティー統合管理機器に依存する多くのコンピュータは、上記悪性プログラムに感染して大きな問題が発生することがあるため、上記遮断装置７１は外部に連結されたインターネットを緊急に遮断する。
【００７６】
上記攻撃装置７２は、インターネットを通じて悪性プログラムを利用してセキュリティー統合管理機器に連結されたコンピュータに接近し、システムにエラーを発生させようとする悪意なコンピュータに対して、接近するアドレスを追跡して１次的に上記の悪意的な行為を中止することを警告するメッセージを発信する警告メッセージ伝送装置７４と、上記の悪意的な行為が続く場合には、上記既存セキュリティー回路３２の上記既存セキュリティープログラム保存装置４３に保存された既存セキュリティープログラムと、上記新規セキュリティー回路３３の上記新規セキュリティープログラム保存装置５６内に保存された新規セキュリティープログラムの伝送を受ける攻撃遮断伝送装置７５と、上記攻撃遮断伝送装置７５から伝送された既存セキュリティープログラムまたは新規セキュリティープログラムを利用して接近するコンピュータへ伝送して実行される場合、接近するコンピュータに保存された上記悪性プログラムを検査して修復する攻撃セキュリティー装置７６と、からなる。
【００７７】
上記攻撃遮断制御モジュール７３は、上記既存セキュリティー回路３２と上記新規セキュリティー回路３３に対して異常があるか否かを確認し、駆動しない場合には、上記遮断装置７１を駆動してインターネットから伝送されるデータを遮断し、インターネットを通じて悪性プログラムを利用してセキュリティー統合管理機器に連結されたコンピュータに接近するデータを感知して上記表示機１１に表示し、管理者から攻撃に対する指示を受けて上記攻撃装置７２を駆動して１次的に上記警告メッセージ伝送装置７４を通じて相手のコンピュータの出力装置に警告メッセージを伝送し、２次的に上記攻撃遮断伝送装置７５から伝送を受けた既存セキュリティープログラムまたは新規セキュリティープログラムを利用して、上記攻撃セキュリティー装置７６を駆動する。
【００７８】
図８は、本発明による応用プログラム分析回路である。
【００７９】
図８に図示された通り、応用プログラム分析回路３６は、プログラム開発者によって作成した応用プログラムのソースコードの中に意図せず含まれ得る悪性プログラム類型のコードを分析して検査する回路であって、上記外部保存装置やコンピュータから応用プログラムのバイナリーコードや、応用プログラムのソースコードを受信する応用プログラム伝送装置８１と、上記応用プログラム伝送装置８１から伝送された応用プログラムのバイナリーコードや応用プログラムのソースコードを保存する応用プログラム保存装置８２と、上記応用プログラム保存装置８２から伝送したデータを分析する応用プログラム分析装置８３と、上記分析結果を出力する出力装置８４と、からなる。
【００８０】
上記応用プログラム伝送装置８１は、上記外部保存装置のデータを受信する外部データ保存装置６３や、上記コンピュータケーブルコネクター２７に連結されたコンピュータから分析を受けようとする応用プログラムのバイナリーコードや、応用プログラムのソースコードを受信して上記応用プログラム保存装置８２へ伝送する。
【００８１】
上記応用プログラム保存装置８２は、プログラム開発者によって作成した応用プログラムを、上記外部保存装置やコンピュータから伝送を受けてバイナリーコードに変換して保存したり、応用プログラムソースコードを保存する。
【００８２】
上記応用プログラム分析装置８３は、上記応用プログラム保存装置８２に保存された各応用プログラムに対して、応用プログラムごとにそのバイナリーコードまたはソースコードを分析して、分析装置内に保存された悪性プログラムのコード類型と比べて応用プログラム内にその意図に係わらず発生することのできる悪性プログラムのコード類型を把握して、悪性プログラムのコード類型がある場合には、その該当する位置を上記出力装置８４へ伝送する。
【００８３】
上記出力装置８４は、上記応用プログラム分析装置８３から把握した悪性プログラムコード領域に対する情報を、管理者及び応用プログラム開発者に伝達するために、上記統合セキュリティーシステム機器に組み込まれた表示機１１及びモニターケーブル２９に連結されたモニターへ出力する。
【００８４】
図９は、本発明によるセキュリティー統合管理回路のブロック図である。
【００８５】
図９に図示された通り、上記セキュリティーパッチ回路３１と上記既存セキュリティー回路３２と上記新規セキュリティー回路３３と外部保存装置管理回路３４と攻撃遮断セキュリティー回路３５及び応用プログラム分析回路３６を統合したセキュリティー統合管理回路に関するもので、インターネットやコンピュータ外部保存装置とデータを送受信する統合伝送装置９１と、上記統合伝送装置９１から伝送を受けたデータを臨時で保存し、統合処理装置９３からセキュリティー治療されたデータを保存する統合保存装置９２と、上記統合保存装置９２からデータをロードして、セキュリティープログラムを利用してセキュリティー治療する統合処理装置９３と、上記統合処理装置９３で要求するセキュリティープログラムを提供するセキュリティープログラム保存装置９４と、上記統合処理装置９３で処理できなかった新規の悪性プログラムを保存する悪性プログラム統合保存装置９５と、上記悪性プログラム統合保存装置９５から伝送された悪性プログラムを分析して新たな解決プログラムを作成したり専門家に提供したりする新規統合分析装置９６と、回路内に発生するエラー及びエラーなどの各種の問題に対して速やかにハードウェア的に処理し、管理者が使用しようとしない回路に対して電源を別途に管理することのできる回路リセットボタンと上記回路の状態を点検する回路点検部と、からなる。
【００８６】
上記統合伝送装置９１は、上記コンピュータケーブルコネクター２７に連結されたコンピュータや上記インターネットケーブルコネクター２８から伝送されるデータ、またはセキュリティー治療を要求する外部保存装置管理回路３４から伝送されたデータを受信して、各装置に対する上記統合保存装置９２へ伝送し、上記統合処理装置９３でセキュリティー治療を行い、保存された上記統合保存装置９２へデータを受信して上記セキュリティー統合管理機器に連結されたコンピュータや外部保存装置へ伝送する。
【００８７】
また、上記統合伝送装置９１は、インターネットで伝送されたセキュリティーパッチプログラムを受信し、上記統合保存装置９２に保存してセキュリティー治療を行った後、上記セキュリティーパッチプログラムをセキュリティー統合管理機器に連結された種々のコンピュータへ伝送する。
【００８８】
そして上記統合伝送装置９１は、悪性プログラムを利用して上記セキュリティー統合管理機器に接近を試みる場合には、接近するコンピュータに対して１次的に上記の悪意的な行為を中止することを警告するメッセージを発信し、２次的に上記セキュリティープログラム保存装置９４から伝送されたセキュリティープログラムを接近するコンピュータへ伝送して実行される場合、接近するコンピュータに保存された上記悪性プログラムをセキュリティー治療する。
【００８９】
上記統合保存装置９２は、上記統合伝送装置９１から伝送を受けたデータを臨時で保存し、上記統合処理装置９３で上記データに対してセキュリティー処理して安全なデータを保存する。
【００９０】
また、上記統合保存装置９２は、上記統合伝送装置９１から伝送されたセキュリティーパッチプログラムを保存し、上記統合処理装置９３を通じてセキュリティーパッチプログラムに対するセキュリティー治療を行った後、保存して上記セキュリティー統合管理機器に連結された多数のコンピュータが運営システムのセキュリティーをパッチする。
【００９１】
上記統合処理装置９３は、上記統合保存装置９２に保存されたセキュリティー処理を行うデータをロードして、上記セキュリティープログラム保存装置９４に保存されたセキュリティープログラムを行って上記データを検索及び検査した後、悪性プログラムに感染していない場合には、上記データを上記統合保存装置９２に保存し、感染した場合には、そのデータに対して修復を行ってセキュリティー治療されたデータを上記統合保存装置９２に保存し、修復が不可能な新たな悪性プログラムに感染した場合には、該当悪性プログラムを分析するように上記悪性プログラム統合保存装置９５に保存し、このような新たな悪性プログラムが発見された場合には、該当データの処理に関して上記表示機１１及び上記モニターケーブル２９に連結されたモニターを通じて管理者に通知して、そのデータ部分を削除するかそのまま含ませるかを決める。
【００９２】
また、上記統合処理装置９３は、上記統合保存装置９２から伝送されるセキュリティーパッチプログラムに対してセキュリティーパッチプログラムが該当するか否かを判断して、セキュリティーパッチプログラムの場合には、セキュリティーパッチプログラムに対するセキュリティー治療を行ってセキュリティー統合管理機器に連結された各コンピュータに対するセキュリティーパッチが安定して行われるように支援する。
【００９３】
そして上記統合処理装置９３は、悪性プログラムを利用して上記セキュリティー統合管理機器に接近を試みるコンピュータに対して、１次的に上記の悪意的な行為を中止することを警告するメッセージを生成し、２次的に上記セキュリティープログラム保存装置９４に保存されたセキュリティープログラムをロードして、上記統合伝送装置９１を通じて接近するコンピュータへ伝送するように措置をとる。
【００９４】
上記セキュリティープログラム保存装置９４は、現在種々の会社で開発されて、ウィルスに対してセキュリティー治療を行う様々なワクチンプログラムと種々の広告性のスパイウェア、及びスパイウェアを除去するプログラムに偽装したプログラムを検査して除去するプログラムと、コローカー行為、特に相手のコンピュータをゾンビコンピュータとして活用するためのプログラムや、認定書や、セキュリティーキー、または暗証番号を知るための種々のクラッカープログラムを感知し除去するプログラムを保存し、新たに発生した悪性プログラムに対する新規統合分析装置９６及び専門家が作成したセキュリティープログラムを保存して、同じ悪性プログラムに対して修復することのできるセキュリティープログラムを上記統合処理装置９３に提供する。
【００９５】
上記悪性プログラム統合保存装置９５は、上記統合処理装置９３で処理できなかった新たな悪性プログラムに感染されたものと疑われるデータに対して、これを削除せず、今後の活用のために上記新規統合分析装置９６によって分析し、セキュリティー治療できるように新たな悪性プログラムを保存する。
【００９６】
但し、上記悪性プログラム統合保存装置９５にあるデータは修復が不可能であるため、上記データが実行されてセキュリティー統合管理機器だけでなく、これに連結された他のコンピュータ及び外部保存装置に感染されないように、実行機能を与えたい。
【００９７】
上記新規統合分析装置９６は、上記悪性プログラム統合保存装置９５に保存された新たな悪性プログラムに対してウィルスプログラムであるか、スパイウェアであるか、またはクラッカープログラムであるか否か、及びそのプログラムの構成を分析して簡単にセキュリティー治療することのできるプログラムの作成が可能であれば、自動で作成して上記セキュリティープログラム保存装置９４に保存し、専門家のセキュリティー治療プログラムの開発が必要な場合には、新たな悪性プログラムに対する情報を悪性プログラムに対する専門家に提供して開発を手伝う。
【００９８】
上記統合伝送装置９１と上記統合保存装置９２と上記統合処理装置９３と上記セキュリティープログラム保存装置９４と上記悪性プログラム統合保存装置９５及び上記新規統合分析装置９６を一つの回路にしたエンベデッド装置を、スマートフォンのような無線機器にハードウェア的に設置して、無線通信を利用する移動通信機器に使用することも好ましい。
【００９９】
以上で説明した本発明のハッカーウィルスセキュリティー統合管理機器の実施例は、例示に過ぎず、本発明が属した技術分野の通常の知識を有する者であれば、これから様々な変形及び等しい他の実施例ができるということが明らかである。従って、本発明は、上記の詳しい説明で述べている形態のみに限定されるものではないことが理解できる。よって、本発明の実際の技術的保護範囲は、添付の特許請求の範囲の技術的な思想によって定められるべきである。また、本発明は、添付の請求範囲によって定義される本発明の精神とその範囲内にある全ての変形物と均等物及び代替物を含むものと理解すべきである。
【産業上の利用可能性】
【０１００】
本発明のコンピュータ及び各種の機器のセキュリティー関連統合管理システムにおいて、別途の補助機器を利用してウィルス及び悪性プログラムなどによって発生することのできる問題を処理するウィルスセキュリティーセキュリティー統合管理機器に関するもので、コンピュータ及びソフトウェアを活用する産業分野において利用可能性が高い。
【図１】
2013532866.tif 000003
【図２】
2013532866.tif 000004
【図３】
2013532866.tif 000005
【図４】
2013532866.tif 000006
【図５】
2013532866.tif 000007
【図６】
2013532866.tif 000008
【図７】
2013532866.tif 000009
【図８】
2013532866.tif 000010
【図９】
2013532866.tif 000011
【国際調査報告】
2013532866.tif 000012
2013532866.tif 000013
2013532866.tif 000014
2013532866.tif 000015